(57)【要約】      （修正有）【課題】  情報機器を積載する時に筐体の固定と電気的導通を行なうこと。【解決手段】情報機器102を情報機器101にスタッキングする際は、情報機器102の後脚カバーをはずし、下位の情報機器101における天面の所定の位置に情報機器102を積載し、ジョイントホイール109を回動させる。これによりジョイントシャフト110が回転する。この天面の所定の位置にはジョイントシャフトに適合したネジが切ってあるため、下位の情報機器の接続部により電気的にも導通し、アース接続が実現する。この動作と同時に、前脚と後脚の高さのバランスをとるために前脚を縮小させる必要がある。前脚はＺ字に切り込みを入れた前脚ガイド104に取り付けた前脚カバーを引き伸ばした時とは逆の方向に一定長回転させ、情報機器102の垂直方向に押し込み、更に先の回転方向とは逆方向に回転させる。【選択図】  図１
2006203045.tif 000002
【特許請求の範囲】
【請求項１】
情報機器を構成する筐体であって、底面部に一定範囲上下可動可能な脚部をもうけ、天面部には該情報機器を積載時、該脚部に対応した位置に、該情報機器の筐体どうしを結合しうる構造をなし、該脚部を伸張し、スタッキングする事を特徴とする情報機器。
【請求項２】
請求項１において、前記情報機器は、該情報機器どうしを積載し、結合する部材である脚部の一部が該筐体より突出していて、積載時に該突出部を回動させる事によりスタッキングする事を特徴とすることを特徴とする情報機器。
【請求項３】
請求項１において、前記情報機器は、該情報機器が積載し、スタッキングされた時、該情報機器どうしが結合部材により、電気的に接続される事を特徴とすることを特徴とする情報機器。
【発明の詳細な説明】
【技術分野】
【０００１】
本発明は、複数の情報機器を積載され、スタッキングする時の方法、並びに結合部の構造に関するものである。
【背景技術】
【０００２】
近年、パソコンの普及によりＨＵＢ、スイッチ、ルータなどの情報機器の需要が高まってきている。特にコンピュータどうしの接続、プリンタの接続などを可能にし、ファイルの共用等を行なう事ができるＨＵＢは大量に市場投入されている。数人の部署においても複数台のＨＵＢが使用され、設置スペースの確保は問題になってきている。さらに会社単位となればその量は膨大になり、小さな問題ではなくなってきている。また、ＨＵＢはマンマシンインターフェースを必要としないので、サーバ室やＯＡフロアの床下など狭く、目に付きにくい場所に設置されている場合がほとんどである。また、通常サーバ室は常時人間が立ち入る事を考えていないのでスペースが広く取られていない場合が多い。このため、ＨＵＢの小型化や効率的な設置方法の研究は継続して行なわれてきている。
【０００３】
従来、考えられている情報機器をスタッキングした際の提案、さらに筐体間の共通のアースを確保する提案は複数おこなわれている。
【０００４】
特許文献１は、略Ｌ字型の係合突起をスタックされる筐体の係合孔にスライドして結合させるものである。この結合孔にはバネ材が設けられており、このバネ材により電気的導通が図られ、フレームグランド（アース）を共通化できるようにしたものである。
【０００５】
特許文献２は、スタックする筐体に同心に設けられた貫通穴に導電性金属製の連結接続体を指し込み、アースバーと接続されたアースケーブルとで構成するものである。
【０００６】
また、その他の方法としてパソコンやサーバ等と同じ１９インチラックなどにネジ止めして固定する方法や、別にアース板やアース線を用意し、ネジ止めすることが考えられてきた。
【特許文献１】実開平６−２９１７６号公報
【特許文献２】特開平７−５９２１６号公報
【発明の開示】
【発明が解決しようとする課題】
【０００７】
しかしながら従来の提案の場合、以下のような不具合が発生している。
【０００８】
（１）スタッキングする際に特殊な工具が必要になる。
【０００９】
（２）構造が複雑でスタックするのに時間がかかる。
【００１０】
（３）スタックを前提に考えられている構造であるため、単独で使用する時に使い勝手が悪くなるなどの弊害がでる。
【００１１】
（４）スタッキングした際に筐体どうしの強度を期待できない。
【００１２】
（５）ラックなどが場所を大きく取るためスペースの確保が難しくなる
【課題を解決するための手段】
【００１３】
本発明は上述のような不具合の解消を目的に考え出されたものである。
【００１４】
特殊な道具や技能を必要とせず、購入したユーザが自分で簡単にスタッキング可能であり、スタッキングするのと同時に結合部の部材を介して共通の電気的なアース（接地）も確実に行なう事が可能になるもので、まったく新しいスタッキング方式を提案するものである。
【発明の効果】
【００１５】
本発明のスタッキング方式によれば、次の効果が期待できる。
【００１６】
（１）情報機器の購入者が自ら簡単にスタッキングする事が可能になり、工事費等が発生しない。
【００１７】
（２）スタッキングする事で筐体間の電気的導通が確保されるので、アース線などを用意する必要がない。また、アース工事の必要もなくなる。
【００１８】
（３）スタッキングと筐体の導通の確保という２つの目的を確保するのに最小の部品で構成が可能になる。
【００１９】
（４）前脚が上下に移動可能で高さ調節が可能であるため、スタッキングした時に最下位の機器と上位の機器で特別の部品を必要としないで、スタッキングが可能になる。
【００２０】
（５）スタッキングを解除して単独設置に戻して使用する場合においても、簡単な操作で行なう事が可能になる。
【発明を実施するための最良の形態】
【００２１】
本発明の実施例における、情報機器をスタッキングした時のスタッキング方式について、図１〜７に基づき説明する。
【００２２】
図１は本発明の実施例における情報機器の単独設置の場合とスタッキングした時の側面図、図２は同じく正面図、図３は情報機器の後脚の詳細図、図４は情報機器の後脚の組立図、図５は情報機器の前脚の部品図、図６は本発明におけるスタッキングした際の後脚の勘合図、図７は情報機器の前脚の組立図である。
【００２３】
次に構成品の概要を示す。なお、図面の番号が異なっても、構成品の番号が同じであるならば同じものを指す。１０１は単独で設置された情報機器、またはスタッキングされたときの下位に設置される情報機器、１０２はスタッキングして設置された際の上位に設置される情報機器、１０３は情報機器１０１の前脚カバー、１０４は情報機器１０１の前脚ガイド、情報機器１０１の１０５は後脚カバー、１０６は情報機器１０１のジョイントホイール、１０７は情報機器１０１のジョイントシャフト、１０８は情報機器１０１のアースバネ、１０９は情報機器１０２のジョイントホイール、１１０は情報機器１０２のジョイントシャフト、１１１は情報機器１０２のアースバネである。図２において２０１は本実施例の情報機器のケーブル接続部である。図３において３０１はアースバネ１０８を固定するネジ、３０２はスタッキングした時の上位情報装置の下面ライン、３０３はジョイントシャフト１０７とジョイントホイール１０９を接続する接続棒である。図５において５０１は前脚カバー１０３を前脚ガイド１０４に接続するツメである。図６において６０１はスタッキングした際に上位と下位の情報機器の固定とアース接続の２つの目的を達する接続部である。
【００２４】
情報機器１０１が単独で設置される場合（図１の上部）は、後脚カバー１０５を取り付け、前脚カバー１０３を前脚ガイド１０４から引き伸ばして設置する。これにより前脚と後脚の高さは同一になりバランスが保たれて設置可能となる。
【００２５】
前脚を引き伸ばす時はＺ字に切り込みをいれた前脚ガイド１０４の切り込みに沿って前脚カバー１０３に取り付けたツメ６０１を一定長回転後、垂直に引き伸ばし、さらに先の方向とは逆の方向に一定長回転させ、固定する。
【００２６】
スタッキング時に使用する後脚の構造を図４により説明する。ジョイントシャフト１０７をアースバネ１０８に指し込みネジ３０１を使って情報機器本体の下面に取り付ける。この時アースバネ１０８の羽部がバネ状に加工してある為、情報機器の下面とはアースバネ１０８が有効に働き、完全に電気的導通が確保された状態になっている。これは図３のアースバネ１０８が情報機器１０１の下面部に取り付けられる事により情報機器１０１の下面ライン３０２まで、つまり、アースバネ１０８の点線部分までバネの応力により押し込まれる。これにより、情報機器１０１とアースバネ１０８は強固に導通が確保される事になる。
【００２７】
次に接続棒３０３をジョイントシャフト１０７の中央部に開けられた穴に指し込み、ジョイントホール１０９の中央の穴を横切るように開けられたスペースに固定する。これにより、アースバネ１０８とジョイントシャフト１０７は電気的に完全に導通したことになる。つまり、情報機器１０１の筐体とアースバネ１０８、ジョイントシャフト１０７は導通が確保されたことになる。
【００２８】
情報機器１０２を情報機器１０１にスタッキングする際は情報機器１０２の後脚カバーをはずし、下位の情報機器１０１における天面の所定の位置に情報機器１０２を積載し、ジョイントホイール１０９を回動させる。これにより、ジョイントシャフト１１０が回転する。
【００２９】
この天面の所定の位置にはジョイントシャフト１１０に適合したネジが切ってあるため、下位の情報機器１０１の接続部６０１に接続され、固定される。これと同時に上位の情報機器１０２と下位の情報機器１０１は接続部６０１により、電気的にも導通し、アース接続が実現する。
【００３０】
この動作と同時に前脚を縮小させる必要がある。それは、スタッキングする際に後脚カバーをはずし、ジョイントシャフトの一部を下位情報機器に接続したため前脚と後脚の高さがアンバランスになり安定して設置できないためである。
【００３１】
前脚はＺ字に切込みを入れた前脚ガイド１０４に取り付けた前脚カバー１０３を引き伸ばした時とは逆の方向に一定長回転させ、情報機器１０２の垂直方向に押し込み、さらに先の回転方向とは逆の方向に回転させる。これにより前脚は後脚と水平を保ちスタッキングする事ができる。
【００３２】
この動作により情報機器をスタッキングして、上位の情報機器と下位の情報機器の固定とアース接続の両方目的を達成する事が可能になる。
【００３３】
この例では２台の情報機器のスタッキングを説明したが、この方式においては台数の制限は発生しない。
【００３４】
また、このスタッキング方式は情報機器に特化したものではなく、応用範囲は限りなく広い。
【００３５】
以上説明したように、本発明のスタッキング方式によれば、次の効果が期待できる。
【００３６】
（６）情報機器の購入者が自ら簡単にスタッキングする事が可能になり、工事費等が発生しない。
【００３７】
（７）スタッキングする事で筐体間の電気的導通が確保されるので、アース線などを用意する必要がない。また、アース工事の必要もなくなる。
【００３８】
（８）スタッキングと筐体の導通の確保という２つの目的を確保するのに最小の部品で構成が可能になる。
【００３９】
（９）前脚が上下に移動可能で高さ調節が可能であるため、スタッキングした時に最下位の機器と上位の機器で特別の部品を必要としないで、スタッキングが可能になる。
【００４０】
（10）スタッキングを解除して単独設置に戻して使用する場合においても、簡単な操作で行なう事が可能になる。
【図面の簡単な説明】
【００４１】
【図１】本発明の実施例における情報機器の単独設置の場合とスタッキングした時の側面図
【図２】本発明の実施例における情報機器の単独設置の場合とスタッキングした時の正面図
【図３】本発明の実施例における情報機器の後脚の詳細図
【図４】本発明の実施例における情報機器の後脚の組立図
【図５】本発明の実施例における情報機器の前脚の部品図
【図６】本発明の実施例におけるスタッキングした際の後脚の勘合図
【図７】本発明の実施例における情報機器の前脚の組立図
【符号の説明】
【００４２】
１０１  単独で設置された情報機器、またはスタッキングされたときの下位に設置される情報機器
１０２  スタッキングして設置された際の上位に設置される情報機器
１０３  前脚カバー
１０４  前脚ガイド
１０５  後脚カバー
１０６  ジョイントホイール
１０７  ジョイントシャフト
１０８  アースバネ
１０９  ジョイントホイール
１１０  ジョイントシャフト
１１１  アースバネ
２０１  情報機器のケーブル接続部
３０１  ネジ
３０２  情報装置の下面ライン
３０３  接続棒
５０１  ツメ
６０１  接続部
【図１】
2006203045.tif 000003
【図２】
2006203045.tif 000004
【図３】
2006203045.tif 000005
【図４】
2006203045.tif 000006
【図５】
2006203045.tif 000007
【図６】
2006203045.tif 000008
【図７】
2006203045.tif 000009